(57)【特許請求の範囲】
【請求項１】
装置であって、
複数の送信技術に関連付けられた送信信号電力に基づいて電力検出信号を生成するように構成され結合器と、
(a2)固定された閾値以下の値に維持される調整済み電力検出信号を生成するために、選択された減衰係数を前記電力検出信号に適用するように構成された可変減衰器と、(a3)前記選択された減衰係数は、選択された送信技術に関連付けられた全ての送信信号電力間で前記可変減衰器によって適用され、
(a4)前記選択された送信技術に基づいて、メモリから前記選択された減衰係数を読み出し、前記可変減衰器に前記選択された減衰係数を入力するよう、構成された検出受信機と
を備えた装置。
【請求項２】
前記可変減衰器の前記選択された減衰係数を設定するために、前記選択された送信技術に基づいて減衰器制御信号を生成するように構成された検出受信機をさらに備える、請求項１に記載の装置。
【請求項３】
前記結合器、可変減衰器、および検出受信機は、トランシーバにおいて提供される、請求項２に記載の装置。
【請求項４】
前記結合器は、広帯域結合器を備える、請求項１に記載の装置。
【請求項５】
前記結合器は、前記可変減衰器を備える、請求項１に記載の装置。
【請求項６】
約０ｄＢｍの前記固定された閾値以下に維持される電力レベルを有するように、前記調整済み電力検出信号が生成される、請求項１に記載の装置。
【請求項７】
前記複数の送信技術は、広域符号分割多元接続（ＷＣＤＭＡ）、ロングタームエボリューション（ＬＴＥ）、モバイル通信のためのグローバルシステム（ＧＳＭ）、ワイヤレスローカルエリアネットワーク（ＷＬＡＮ）、およびブルートゥース送信技術を備える、請求項１に記載の装置。
【請求項８】
前記結合器は、アンテナスイッチの入力側の送信信号パスに結合するように構成される、請求項１に記載の装置。
【請求項９】
前記結合器は、アンテナスイッチの出力側の送信信号パスに結合されるように構成される、請求項１に記載の装置。
【請求項１０】
前記可変減衰器は、アンテナスイッチに含まれる、請求項１に記載の装置。
【請求項１１】
装置であって、
複数の送信技術に関連付けられた送信信号電力に基づいて電力検出信号を生成するための手段と、
固定された閾値以下の値に維持される調整済み電力検出信号を生成するために、選択された減衰係数を前記電力検出信号に適用するための手段と、前記選択された減衰係数は、選択された送信技術に関連付けられた全ての送信信号電力間で適用され、
前記選択された送信技術に基づいて、メモリから前記選択された減衰係数を読み出し、可変減衰器に前記選択された減衰係数を入力する手段と、
を備えた、装置。
【請求項１２】
前記選択された減衰係数を設定するために、前記選択された送信技術に基づいて減衰器制御信号を生成するための手段をさらに備える、請求項１１に記載の装置。
【請求項１３】
前記生成するための手段は、広い周波数帯域にわたって動作するように構成される、請求項１１に記載の装置。
【請求項１４】
前記適用するための手段は、約０ｄＢｍの電力レベルを有するように前記調整済み電力検出信号を生成するように構成される、請求項１１に記載の装置。
【請求項１５】
前記生成するための手段は、広域符号分割多元接続（ＷＣＤＭＡ）、ロングタームエボリューション（ＬＴＥ）、モバイル通信のためのグローバルシステム（ＧＳＭ）、ワイヤレスローカルエリアネットワーク（ＷＬＡＮ）、およびブルートゥース送信技術に関連付けられた前記送信信号電力に基づいて、前記電力検出信号を生成するように構成される、請求項１１に記載の装置。
【請求項１６】
前記生成するための手段は、アンテナ切替のための手段の入力に結合される、請求項１１に記載の装置。
【請求項１７】
前記生成するための手段は、アンテナ切替のための手段の出力に結合される、請求項１１に記載の装置。
【請求項１８】
前記適用するための手段は、アンテナ切替のための手段と一体化される、請求項１１に記載の装置。
【請求項１９】
方法であって、
複数の送信技術に関連付けられた送信信号電力に基づいて電力検出信号を生成することと、
選択された送信技術に基づいて、メモリから選択された減衰係数を読み出すことと、
固定された閾値以下の値に維持される調整済み電力検出信号を生成するために、前記選択された減衰係数を前記電力検出信号に適用することと、前記選択された減衰係数は、前記選択された送信技術に関連付けられた全ての送信信号電力間で適用される方法。
【請求項２０】
前記生成することは、広域符号分割多元接続（ＷＣＤＭＡ）、ロングタームエボリューション（ＬＴＥ）、モバイル通信のためのグローバルシステム（ＧＳＭ）、ワイヤレスローカルエリアネットワーク（ＷＬＡＮ）、およびブルートゥース送信技術に関連付けられた前記送信信号電力に基づいて、前記電力検出信号を生成するように構成される、請求項１９に記載の方法。
【発明の詳細な説明】
【優先権の主張】
【０００１】
本願は、本願の譲受人に譲渡され、参照によって本明細書に明確に組み込まれる、２０１１年９月２０日に出願された「ANTENNA POWER COUPLER HAVING A VARIABLE COUPLING FACTOR」と題する、米国仮出願第６１／５３７，０２０号の優先権の利益を主張する。
【技術分野】
【０００２】
本願は一般的に、モバイルデバイスで使用するためのアンテナシステムの動作および設計に関し、より詳細には、アンテナ電力結合器の設計および動作に関する。
【背景技術】
【０００３】
複数の周波数帯域にわたって高品質の送信および受信が可能なワイヤレスデバイスを持つことに対しての需要が高まっている。複数の周波数帯域を使用することで、高められたデータ送信速度および／または追加のサービスが提供される。残念ながら、これらのワイヤレスデバイスは、周波数帯域ごとに電力較正を実行する必要がある。これは、較正時間(calibration times)の増加に帰着する。
【０００４】
様々なワイヤレスデバイスについての別の懸念は、送信電力が再度トランシーバに結合され、動作を劣化させるか、またはコンポーネントにダメージすら与えることである。例えば、第３世代（３Ｇ）および第４世代（４Ｇ）の技術において、２４ｄＢｍの最大定格電力がアンテナで発生しうる。しかしながら、第２世代（２Ｇ）のシステムでは、最大で３３ｄＢｍが、アンテナで発生しうる。この送信電力のある部分は、再度トランシーバに結合され、結果として、その性能は不安定である。
【０００５】
このように、必要とされるもの、および、提供されるものは、較正時間を減らすため、および、ダメージまたは性能の劣化からトランシーバコンポーネントを保護するために使用される検出受信機のダイナミックレンジを拡張するための可変結合係数を有するアンテナ電力結合器である。
【図面の簡単な説明】
【０００６】
本明細書で説明される前述の態様は、添付図面と共に考慮された場合、下記の詳細な説明への参照により、より容易に明らかになるであろう。
【図１】図１は、受信機保護および高速較正を提供するアンテナ電力結合器および可変減衰器の例示的な実施形態を備えるデバイスを示す。
【図２】図２は、アンテナスイッチの後に１つのアンテナ電力結合器および１つの可変減衰器が配置された例示的な実施形態を備えるデバイスを示す。
【図３】図３は、電力増幅よりも後でアンテナスイッチよりも前に複数の電力結合器および１つの可変減衰器が配置された例示的な実施形態を備えるデバイスを示す。
【図４】図４は、ダイバーシティパス受信機での使用するためのアンテナ結合器および可変減衰器の例示的な実施形態を備えるデバイスを示す。
【図５】図５は、検出受信機の例示的な実施形態を示す。
【図６】図６は、過度の送信電力フィードバックからトランシーバを保護するための、装置の例示的な実施形態を示す。
【図７】図７は、過度の送信電力フィードバックからワイヤレスデバイスのトランシーバを保護するための方法の例示的な実施形態を示す。
【発明を実施するための形態】
【０００７】
添付の図面に関連して以下に示される詳細な説明は、本発明の例示的な実施形態の説明を目的としており、本発明が実施されうる唯一の実施形態を表すことは意図されない。本明細書の全体にわたって用いられる「例示的」という用語は、「例証、実例、または例示として提供する」を意味し、必ずしも、他の例示的な実施形態よりも好ましいまたは有利であると解釈されるべきではない。詳細な説明は、本発明の例示的な実施形態の完全な理解を提供することを目的とした特定の詳細を含む。本発明の例示的な実施形態がこれらの特定の詳細なしで実施されうることは当業者に明らかであろう。いくつかの例では、本明細書に提示される例示的な実施形態の新規性を曖昧にしないために、周知の構造およびデバイスは、ブロック図形式で示される。
【０００８】
図１は、受信機保護および高速自己較正を提供するアンテナ電力結合器(antenna power coupler)１０８および可変減衰器(variable attenuator)１１０の例示的な実施形態を備えるデバイス１００を示す。例えば、デバイス１００は、トランシーバ１０２、電力増幅器１０４、フィルタ１０６、アンテナ電力結合器１０８、および可変減衰器１１０を備える。アンテナ電力結合器１０８は、広い周波数帯域を通して送信された信号の送信電力を感知し、電力検出信号(power detection signal)１１２を生成するように構成される。可変減衰器１１０は、この電力検出信号１１２のレベルを調整して、この調整済み検出信号(adjusted detection signal)１１４を、それが検出受信機１１６によって受信されるトランシーバ１０２に渡すように構成される。検出受信機１１６は、ダメージまたは性能の劣化からトランシーバエレクトロニクスを保護することとなるように、減衰器制御信号１１８を出力して、可変減衰器１１０の減衰器セッティングを制御し、調整済み検出信号１１４のレベルを調整するように構成される。検出受信機１１６はまた、自己較正(self calibration)を目的として、調整済み検出信号についての情報をデバイス１００に提供するように動作する。
【０００９】
動作中、トランシーバ１０２からの送信は、電力増幅器１０４およびフィルタ１０６を通してアンテナ１２０に流れる。結合器(coupler)１０８は、広帯域にわたって送信の電力を検出するように動作する。検出受信機１１６は、利用されている周波数帯域または送信技術にかかわらず、約０ｄＢｍの最大電力が検出受信機１１６にフィードバックされることを確実にするために、可変減衰器１１０によって提供される減衰量を調整するように動作する。例えば、１つの例示的な実現において、可変減衰器１１０は、約０ｄＢｍの最大電力が検出受信機１１６にフィードバックされることを確実にするために、識別された送信技術について、次の最大送信電力レベルに順応するように設定される。  
１.  広帯域符号分割多元接続（ＷＣＤＭＡ（登録商標））  
ＷＣＤＭＡ／ＣＤＭＡ２０００最大電力＝２４ｄＢｍ  
２.  ロングタームエボリューション（ＬＴＥ）  
ＬＴＥ最大電力＝１０ｄＢｍ〜２４ｄＢｍ  
３.  モバイル通信のためのグローバルシステム（ＧＳＭ（登録商標））  
ＧＳＭ最大電力＝３０ｄＢｍ  
４.ワイヤレスローカルエリアネットワーク（ＷＬＡＮ）  
ＷＬＡＮ最大電力＝２３ｄＢｍ  
５.ブルートゥース（ＢＴ）  
ＢＴ最大電力＝１０ｄＢｍ
図２は、アンテナスイッチ２１２の後に１つのアンテナ電力結合器２１４および１つの可変減衰器２１６が配置された例示的な実施形態を備えるデバイス２００を示す。例えば、デバイス２００は、トランシーバ２０２、電力増幅器２０４、２０６、および２０８、フィルタ２１０、アンテナスイッチ２１２、ならびに広域アンテナ電力結合器２１４を備える。アンテナ結合器２１４は、可変減衰器２１６を備える。検出受信機２２０は、減衰器制御信号２１８を出力し、可変減衰器２１６を制御する。検出受信機２２０はまた、可変減衰器２１６から調整済み検出電力信号２２２を受信する。
【００１０】
この例示的な実現において、結合器２１４および可変減衰器２１６は、アンテナスイッチ２１２の後に提供される。アンテナ電力結合器２１４は、送信された信号の送信電力を感知し、可変減衰器２１６に入力された検出信号を生成すように構成され、それは、この検出信号のレベルを調整し、この調整済み検出信号２２２を検出受信機２２０に渡す。
【００１１】
受信機保護
例示的な実施形態において、広帯域電力結合器２１４および可変減衰器２１６は、トランシーバ２０２の保護を提供するため、ワイヤレスデバイス２００での使用のために提供される。例えば、高い電力のＴｘ信号２２８の送信中、結合器２１４の出力が減衰なくトランシーバ２０２にフィードバックされると、これは、Ｔｘ信号２２８、ローカル発振器２３０の破損、または、ＶＣＯプーリングをもたらす。このように、可変減衰器２１６は、可変結合係数を提供して、結合器２１４の出力を減衰させ、検出受信機２２０にフィードバックされる調整済み検出電力信号２２２を生成し、トランシーバ性能を劣化させうる高い電力のＴｘ信号からトランシーバ２０２を保護する。
【００１２】
自己較正
例示的な実施形態では、広帯域電力結合器２１４および可変減衰器２１６が組み合わせられ、ワイヤレスデバイス２００での自己較正の間に使用するための可変結合係数を有する電力結合器が形成される。例えば、デバイス２００は、電力増幅器２０４、２０６、および２０８を使用し、複数の周波数帯域および／または送信プロトコルを使用して送信することができる。高速自己較正は、利用可能な様々な周波数帯域／送信プロトコルのうちの１つを使用して送信中にＴｘ信号２２８の電力を測定するために検出受信機２２０を使用することで容易になる。可変減衰器２１６は、選択された減衰を適用して、検出受信機２２０が、例えば、ＧＭＳモードで送信する場合など、高い電力送信中に調整済み検出電力信号２２２によってオーバロードされないことを確実にする。このように、減衰器２１６は、利用可能な複数の周波数帯域および／または送信プロトコルのうちの１つを使用して送信する際に、検出受信機２２０のダイナミックレンジを増加させるため、および、デバイス２００における高速自己較正を容易にするために可変結合係数を提供する。
【００１３】
動作中、トランシーバ２０２は３つの送信技術のうち、信号を送信するのに用いる１つを選択するように動作する。例えば、ＷＣＤＭＡ技術が選択された場合、トランシーバ２０２は、電力増幅器２０４を利用する。ＧＭＳ技術が選択された場合、トランシーバ２０２は、電力増幅器２０６を利用する。ブルートゥース技術が選択された場合、トランシーバ２０２は、電力増幅器２０８を利用する。各技術は、それ自体の最大電力特性を有しており、例えば、ＷＣＤＭＡは２４ｄＢｍ、ＧＭＳは３０ｄＢｍ、およびＢＴは１０ｄＢｍである。
【００１４】
選択された送信技術に基づいて、検出受信機２２０は、可変減衰器２１６からの調整済み検出電力信号２１８上で約０ｄＢｍ以下が受信されるように、減衰器制御信号２１８を使用して可変減衰器２１６を制御するように動作する。検出受信機２２０はまた、他の最大電力レベルが、調整済み検出電力信号２１８上で受信されるように、減衰器２１６を制御しうる。このように、選択された任意の送信技術について、検出受信機２２０は、受信機回路を保護し、高速自己較正を提供するために可変減衰器２１６を調整するように動作する。この例示的な実施形態では、可変減衰器２１６が広域電力結合器２１４に含まれるが、別の例示的な実施形態では、オプションの可変減衰器２２４で示されるように、可変減衰器がアンテナスイッチ２１２に一体化されうることに注意されたい。さらに別の例示的な実施形態において、デバイスに位置するモバイル局モデム（ＭＳＭ）は、減衰器セッティングを制御するために減衰器制御信号２２６を可変減衰器２１６に送るように動作する。
【００１５】
図３は、電力増幅器の後でありアンテナスイッチ３１８の前に電力結合器３１０、３１２、および３１４、ならびに可変減衰器３２０が配置された例示的な実施形態を備えるデバイス３００を示す。例えば、デバイス３００は、トランシーバ３０２、電力増幅器３０４、３０６、３０８、および電力結合器３１０、３１２、３１４を備える。デバイスはまた、フィルタ３１６、アンテナスイッチ３１８、可変減衰器３２０、および検出受信機３２６を備える。
【００１６】
この例示的な実施形態において、電力結合器３１０、３１２、３１４は、それぞれ、増幅器３０４、３０６、および３０８の出力を受信するように結合される。電力結合器３１０、３１２、３１４は、可変減衰器３２０に接続されたデイジチェイン（daisy chain）の出力と連結（daisy chain）される。減衰器３２０の出力は、検出受信機３２６に入力される。このように、選択された任意の送信技術について、適切な電力結合器は、減衰器３２０に入力される電力検出信号を提供するように動作する。検出受信機３２６は、トランシーバ回路を保護し、高速自己較正を提供するために、可変減衰器３２０を調整して、電力検出信号のレベルを調整するように動作する。
【００１７】
また、この例示的な実施形態では、可変減衰器３２０は、連結された結合器３１０、３１２、および３１４から入力を受信する独立したモジュールとして提供されているが、別の例示的な実施形態では、結合器３１０、３１２、および３１４は各々、可変減衰器を備え、検出受信機３１６によって制御可能な個別のスイッチは、減衰器出力のうち、検出受信機３２６に入力される１つを選択するために使用されることに注意されたい。
【００１８】
図４は、ダイバーシティパス受信機４０２での使用のためのアンテナ結合器４０４および可変減衰器４０６の例示的な実施形態を備えるデバイス４００を示す。例えば、デバイス４００は、図３で示されたデバイス３００のトランシーバ３０２および関連回路を備える。デバイス４００はさらに、ダイバーシティ受信機４０２と広帯域電力結合器４０４を備える。電力結合器４０４は、可変減衰器４０８を備える。ダイバーシティ４０２は、減衰制御信号４１２を減衰器４０８に出力して、調整済み検出信号４１４を受信する検出受信機４１０を含む。ダイバーシティ経路受信機４０２は、較正のために使用され、さらに、ダイナミックレンジを増やすため、または、複数の電力増幅器が連結されている例示的な実現で使用されることができる。
【００１９】
図５は、検出受信機５００の例示的な実施形態を示す。例えば、検出受信機５００は、検出受信機１１６、２２０、３２６、または４０８としての使用に適している。検出受信機５００は、すべてがバス５１０を使用して通信するように結合されたプロセッサ５０２、メモリ５０４、減衰コントローラ５０６、および減衰受信機５０８を備える。検出受信機５００は、単なる１つの例示的な実現にすぎず、他の実現も可能であることに注意されたい。
【００２０】
減衰コントローラ５０６は、検出受信機５００が、図３に示された可変減衰器３２０のような可変減衰器に制御コマンドを通信できるように動作するハードウェアおよび／またはハードウェア実行ソフトウェアを備える。１つの例示的な実現において、減衰コントローラ５０６は、可変減衰器にハードワイヤード(hardwired)されており、可変減衰器の減衰係数(an attenuation factor)を設定するためのコマンドを通信する。減衰コントローラ５０６は、バス５１０を使用してプロセッサ５０２から命令を受信し、可変減衰器に出力されるべきコマンドを決定するためにこれらの命令を使用する。
【００２１】
減衰受信機５０８は、検出受信機５００が、図３に示された可変減衰器３２０のような可変減衰器から調整済み検出信号を受信できるように動作するハードウェアおよび／またはハードウェア実行ソフトウェアを備える。１つの例示的な実現において、減衰受信機５０８は、調整済み検出信号を受信するために、可変減衰器にハードワイヤードされている。減衰器受信機５０８は、バス５１０を使用してプロセッサ５０２から命令を受信し、受信された調整済み検出信号をどのように処理するかを決定するためにこれらの命令を使用する。例示的な実施形態において、調整済み検出信号は、バス５１０を使用してプロセッサ５０２に渡される。
【００２２】
メモリ５０４は、ＲＡＭ、ＲＯＭ、ＥＥＰＲＯＭのような任意の適切なメモリデバイス、または、バス５１０を使用してアクセスされることができる情報を記憶するように構成されたその他の適切なデバイスを備える。例えば、１つの例示的な実施形態において、メモリ５０４は、１つ以上の送信技術に関連付けられた減衰セッティングを記憶する。ＷＣＤＭＡのような特定の送信技術を使用して送信中、可変減衰器の動作を設定するために、関連減衰セッティングは、減衰コントローラ５０６によってアクセスおよび送り出されることができ、それによって、減衰器受信機５０８によって受信される調整済み検出信号は、選択された最大電力レベルを有する。
【００２３】
プロセッサ５０２は、ＣＰＵ、プロセッサ、ゲートアレイ、ハードウェア論理、メモリエレメント、および／またはハードウェア実行ソフトウェアのうちの少なくとも１つを備える。プロセッサ５０２は、トランシーバ回路を保護し、高速自己較正を容易にするために、検出受信機５００を制御して、本明細書に記述された機能を提供するように動作する。プロセッサ５０２は、バス５１０を使用して検出受信機５００の他の機能モジュールと通信する。例示的な実施形態において、プロセッサ５０２は、デバイス入力／出力（Ｉ／Ｏ）インターフェースを使用してＭＳＭのようなデバイスと通信する。プロセッサ５０２は、検出受信機５００の動作中に使用されるべき減衰器セッティング、制御命令、その他のタイプの命令、制御情報、またはデータなどの情報をデバイスから受信することができる。プロセッサ５０２はまた、デバイスＩ／Ｏを使用してデバイスに情報を出力する。例えば、プロセッサ５０２は、減衰器受信機５０８によって受信された調整済み検出信号についての情報を出力する。この情報は、高速自己較正を容易にするためにデバイスによって使用されることができる。
【００２４】
プロセッサ５０２はまた、メモリ５０４に情報を記憶、検索、アクセス、または他の方法で維持するために、バス５１０を使用してメモリ５０４と通信する。検出受信機５００の動作のより詳細な説明が、以下に提供される。
【００２５】
ここで図７を参照すると、方法７００の例示的な実施形態が示されている。方法７００は、過度の送信電力フィードバックからワイヤレスデバイスのトランシーバを保護するように動作する。ワイヤレスデバイスは、１つ以上の周波数帯域および／または送信技術を使用してデータを送信することができる。方法７００はまた、ワイヤレスデバイスにおける高速自己較正を容易にする。例えば、方法７００は、図３に示されたデバイス３００および図５に示された受信機保護モジュール５００を参照して説明される。例示的な実施形態において、プロセッサ５０２は、以下に説明される機能を実行するために、１つ以上のコードセットを実行する。
【００２６】
ブロック７０２において、データを送信するための選択された送信技術が決定される。例えば、プロセッサ５０２は、デバイスＩ／Ｏインターフェースを使用してワイヤレスデバイスから、決定された送信技術についての情報を受信する。
【００２７】
ブロック７０４において、選択された送信技術に関連付けられたパラメータが取得される。例えば、プロセッサ５０２は、パラメータを取得するためにメモリ５０４にアクセスする。例示的な実施形態において、パラメータは、１つ以上の送信技術に関連付けられた減衰セッティングを含む。
【００２８】
ブロック７０６において、選択された可変減衰器は、選択されたレベルの減衰を提供するように設定される。例えば、プロセッサ５０２は、その減衰係数を設定するために、選択された減衰器にコマンドを送るように減衰コントローラ５０６を制御する。結果として、選択された減衰器は、選択された広域電力結合器（電力検出信号）の出力を、それの入力として受信し、選択された減衰量を提供し、調整済み電力検出信号を出力するだろう。
【００２９】
ブロック７１０において、所望の最大電力レベルを有する調整済み電力検出信号が受信される。例えば、調整済み電力検出信号３２４は、可変減衰器３２０から出力され、検出受信機３２６で受信される。調整済み電力検出信号３２４は、可変減衰器３２０のセッティングによって決定される最大電力レベルを有するように調整され、それによって、このレベルは安全となり、トランシーバ３０２の動作にダメージを与えるまたは劣化させないであろう。
【００３０】
ブロック７１２において、受信された調整済み電力検出信号は、自己較正を容易にするためにワイヤレスデバイスに送られる。例えば、プロセッサ５０２は、デバイスＩ／Ｏを使用して、受信された調整済み電力検出信号についての情報をワイヤレスデバイスに送る。
【００３１】
このように、例示的な実施形態において、方法７００は、ワイヤレスデバイスに位置付けられた検出受信機によって実行される。方法７００は、単なる１つの例示的な実現にすぎず、方法７００の動作は、他の例示的な実現が可能になるように、様々な例示的な実施形態の範囲内で再配置されるか別の方法で変更されうることに注意されたい。
【００３２】
図６について、装置６００の例示的な実施形態が示される。装置６００は、過度の送信電力フィードバックからトランシーバを保護するように、および、高速自己較正を容易にするように動作する。ある態様において、装置６００は、本明細書で説明された機能を提供するように構成された１つ以上のモジュールによって実現される。例えば、一態様では、各モジュールは、ハードウェアおよび／またはハードウェア実行ソフトウェアを備える。
【００３３】
装置６００は、複数の送信技術に関連付けられた送信信号電力(transmit signal power)に基づいて電力検出信号を生成するための手段（６０２）を備える第１のモジュールを備え、それは、ある態様では、電力結合器３１０、３１２、３１４を備える。
【００３４】
装置６００はまたは、調整済み電力検出信号を生成するために、選択された減衰係数を電力検出信号に適用するための手段（６０４）を備える第２のモジュールを備え、それは、ある態様では、可変減衰器３２０を備え、ここで、選択された減衰係数は、選択された送信技術に関連付けられている。
【００３５】
当業者は、情報および信号が、様々な異なる技術および技法のいずれかを使用して提示または処理されうることを理解するだろう。例えば、上記説明全体にわたって参照されうるデータ、命令、コマンド、情報、信号、ビット、シンボル、およびチップは、電圧、電流、電磁波、磁場または磁性粒子、光場または光粒子、あるいはこれらの任意の組み合わせによって表されうる。トランジスタタイプおよび技術が、同じ結果を達成するために、置き換えられ、再配列され、または他の方法で変更されることにさらに注意されたい。例えば、ＰＭＯＳトランジスタを利用して示される回路は、ＮＭＯＳトランジスタを使用するように変更され、その逆もまた同様でありうる。したがって、本明細書に開示された増幅器は、様々なトランジスタタイプおよび技術を利用して実現され、図で説明されたそれらのトランジスタタイプおよび技術に限定されるわけではない例えば、ＢＪＴ、ＧａＡｓ、ＭＯＳＦＥＴのようなトランジスタタイプ、または、その他のトランジスタ技術が使用されうる。
【００３６】
当業者は、本明細書に開示された例示的な実施形態に関連して説明された様々な実例となる論理ブロック、モジュール、回路、およびアルゴリズムステップが、電子ハードウェア、コンピュータソフトウェア、または両方の組み合わせとして実現されうることをさらに認識するであろう。このハードウェアとソフトウェアの互換性を明確に例示するために、様々な実例となるコンポーネント、ブロック、モジュール、回路、およびステップが、概ねそれらの機能の観点から上に説明されている。このような機能が、ハードウェアとして実現れるか、ソフトウェアとして実現されるかは、特定のアプリケーションおよびシステム全体に課せられた設計制約に依存する。当業者は、特定のアプリケーションごとに多様な方法で説明された機能を実現することができるが、このような実現の決定は、本発明の例示的な実施形態の範囲から逸脱を引き起こしていると解釈されるべきではない。
【００３７】
本明細書に開示された例示的な実施形態に関連して説明された様々な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラマブル論理デバイス、ディスクリートゲートまたはトランジスタ論理、ディスクリートハードウェアコンポーネント、あるいは本明細書で説明された機能を実行するように設計されたこれらの任意の組み合わせで、実現または実行されうる。汎用プロセッサはマイクロプロセッサでありうるが、代替的に、このプロセッサは、任意の従来型のプロセッサ、コントローラ、マイクロコントローラ、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアに結合された１つ以上のマイクロプロセッサとの組み合わせ、または任意の他のそのような構成として、実現されうる。
【００３８】
本明細書で開示された例示的な実施形態に関連して説明されたアルゴリズムまたは方法のステップは、直接ハードウェアにおいて、プロセッサによって実行されるソフトウェアモジュールにおいて、またはこれら２つの組み合わせにおいて、具現化（embodied）されうる。ソフトウェアモジュールは、ランダムアクセスメモリ（ＲＡＭ）、フラッシュメモリ、読取専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、リムーバルディスク、ＣＤ−ＲＯＭ、または当技術分野で知られている他の任意の形態の記憶媒体に存在しうる。例示的な記憶媒体は、プロセッサが記憶媒体から情報を読み取り、記憶媒体に情報を書き込むことができるように、プロセッサに結合される。代替において、記憶媒体は、プロセッサと一体化されうる。プロセッサおよび記憶媒体は、ＡＳＩＣ内に存在しうる。ＡＳＩＣは、ユーザ端末内に存在しうる。代替において、プロセッサおよび記憶媒体は、ユーザ端末にディスクリートコンポーネントとして存在しうる。
【００３９】
１つ以上の例示的な実施形態では、説明された機能は、ハードウェア、ソフトウェア、ファームウェア、またはこれらの任意の組み合わせで実現されうる。ソフトウェアで実現される場合、これらの機能は、コンピュータ読取可能な媒体上で、１つ以上の命令またはコードとして送信または記憶されうる。コンピュータ読取可能な媒体は、ある場所から別の場所へのコンピュータプログラムの転送を容易にする任意の媒体を含む非一時的な通信媒体およびコンピュータ記憶媒体の両方を含む。非一時的な記憶媒体（すなわち、コンピュータプログラム製品）は、コンピュータがアクセス可能な任意の利用可能な媒体でありうる。限定ではなく例として、このようなコンピュータ読取可能な媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用可能であり、かつコンピュータによってアクセスされうる他の任意の媒体を備えうる。また、任意の接続は、厳密にはコンピュータ読取可能な媒体と呼ばれる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、またはその他の遠隔ソースから送信される場合、この同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ここでディスク（disks）は、通常磁気的にデータを再生し、ディスク（discs）は、レーザーを用いて光学的にデータを再生する。上記の組み合わせもまた、コンピュータ読取可能な媒体の範囲内に含まれるべきである。
【００４０】
開示された例示的な実施形態の上記説明は、当業者が本発明を製造または使用できるように提供される。これら例示的な実施形態への様々な変更は、当業者にとって容易に明らかであり、本明細書に定義された包括的な原理は、本発明の精神または範囲から逸脱することなく、他の例示的な実施形態にも適用されうる。したがって、本発明は、本明細書に示された例示的な実施形態に限定されるようには意図されず、本明細書に開示された原理および新規な特徴と一致する最も広い範囲を与えられるべきである。
以下に本願発明の当初の特許請求の範囲に記載された発明を付記する。
［Ｃ１］
装置であって、
複数の送信技術に関連付けられた送信信号電力に基づいて電力検出信号を生成するように構成された結合器と、
調整済み電力検出信号を生成するために、選択された減衰係数を前記電力検出信号に適用するように構成された可変減衰器と
を備え、
前記選択された減衰係数は、選択された送信技術に関連付けられる、装置。
［Ｃ２］
前記可変減衰器の前記選択された減衰係数を設定するために、前記選択された送信技術に基づいて減衰器制御信号を生成するように構成された検出受信機をさらに備える、Ｃ１に記載の装置。
［Ｃ３］
前記結合器、可変減衰器、および検出受信機は、トランシーバにおいて提供される、Ｃ２に記載の装置。
［Ｃ４］
前記結合器は、広帯域結合器を備える、Ｃ１に記載の装置。
［Ｃ５］
前記結合器は、前記可変減衰器を備える、Ｃ１に記載の装置。
［Ｃ６］
約０ｄＢｍの電力レベルを有するように、前記調整済み電力検出信号が生成される、Ｃ１に記載の装置。
［Ｃ７］
前記複数の送信技術は、広域符号分割多元接続（ＷＣＤＭＡ）、ロングタームエボリューション（ＬＴＥ）、モバイル通信のためのグローバルシステム（ＧＳＭ）、ワイヤレスローカルエリアネットワーク（ＷＬＡＮ）、およびブルートゥース送信技術を備える、Ｃ１に記載の装置。
［Ｃ８］
前記結合器は、アンテナスイッチの入力側の送信信号パスに結合するように構成される、Ｃ１に記載の装置。
［Ｃ９］
前記結合器は、アンテナスイッチの出力側の送信信号パスに結合されるように構成される、Ｃ１に記載の装置。
［Ｃ１０］
前記可変減衰器は、アンテナスイッチに組み込まれる、Ｃ１に記載の装置。
［Ｃ１１］
装置であって、
複数の送信技術に関連付けられた送信信号電力に基づいて電力検出信号を生成するための手段と、
調整済み電力検出信号を生成するために、選択された減衰係数を前記電力検出信号に適用するための手段と
を備え、前記選択された減衰係数は、選択された送信技術に関連付けられる、装置。
［Ｃ１２］
前記選択された減衰係数を設定するために、前記選択された送信技術に基づいて減衰器制御信号を生成するための手段をさらに備える、Ｃ１１に記載の装置。
［Ｃ１３］
前記生成するための手段は、広い周波数帯域にわたって動作するように構成される、Ｃ１１に記載の装置。
［Ｃ１４］
前記適用するための手段は、約０ｄＢｍの電力レベルを有するように前記調整済み電力検出信号を生成するように構成される、Ｃ１１に記載の装置。
［Ｃ１５］
前記生成するための手段は、広域符号分割多元接続（ＷＣＤＭＡ）、ロングタームエボリューション（ＬＴＥ）、モバイル通信のためのグローバルシステム（ＧＳＭ）、ワイヤレスローカルエリアネットワーク（ＷＬＡＮ）、およびブルートゥース送信技術に関連付けられた前記送信信号電力に基づいて、前記電力検出信号を生成するように構成される、Ｃ１１に記載の装置。
［Ｃ１６］
前記生成するための手段は、アンテナ切替のための手段の入力に結合される、Ｃ１１に記載の装置。
［Ｃ１７］
前記生成するための手段は、アンテナ切替のための手段の出力に結合される、Ｃ１１に記載の装置。
［Ｃ１８］
前記適用するための手段は、アンテナ切替のための手段と一体化される、Ｃ１１に記載の装置。
［Ｃ１９］
方法であって、
複数の送信技術に関連付けられた送信信号電力に基づいて電力検出信号を生成することと、
調整済み電力検出信号を生成するために、選択された減衰係数を前記電力検出信号に適用することと、
前記調整済み電力検出信号に関連付けられた電力レベルを制御するために、選択された送信技術に基づいて前記選択された減衰係数を設定することと
を備える方法。
［Ｃ２０］
前記生成することは、広域符号分割多元接続（ＷＣＤＭＡ）、ロングタームエボリューション（ＬＴＥ）、モバイル通信のためのグローバルシステム（ＧＳＭ）、ワイヤレスローカルエリアネットワーク（ＷＬＡＮ）、およびブルートゥース送信技術に関連付けられた前記送信信号電力に基づいて、前記電力検出信号を生成するように構成される、Ｃ１９に記載の方法。
【図１】
0005992527.tif 000002
【図２】
0005992527.tif 000003
【図３】
0005992527.tif 000004
【図４】
0005992527.tif 000005
【図５】
0005992527.tif 000006
【図６】
0005992527.tif 000007
【図７】
0005992527.tif 000008